(57)【要約】【課題】急激な変化を及ぼす処理結果となるような操作を行った場合であっても、その変化を緩和する。【解決手段】ユーザによって指定された位置が制御対象領域である場合には、制御部１１０は、追従速度を遅くする。つまり、非制御対象領域内の位置が指定されてから当該位置に応じた処理を行うまでの時間よりも、制御対象領域内の位置が指定されてから当該位置に応じた処理を行うまでの時間を長くする。操作してからその操作に応じた処理が行われるまでが遅くなるから、その変化が緩和されることになる。【選択図】図２
2015052965.tif 000002
【特許請求の範囲】
【請求項１】
ユーザが操作を行うために用いる操作手段と、
前記操作手段を用いたユーザの操作により操作可能領域内の位置が指定されると、当該位置に応じた処理を行う処理手段とを備え、
前記処理手段は、前記操作可能領域の一部である制御対象領域内の位置が指定された場合には、当該位置が指定されてから当該位置に応じた処理を行うまでの時間を、前記制御対象領域以外の前記操作可能領域内の位置が指定されてから当該位置に応じた処理を行うまでの時間よりも長くする
ことを特徴とする情報処理装置。
【請求項２】
前記処理手段は、前記制御対象領域内の位置が指定されてから当該位置に応じた処理を行うまでの時間と、前記制御対象領域以外の前記操作可能領域内の位置が指定されてから当該位置に応じた処理を行うまでの時間との差を、前記制御対象領域において指定された位置に応じて異ならせる
ことを特徴とする請求項１記載の情報処理装置。
【請求項３】
前記制御対象領域内の位置が指定された場合に、当該位置を指定する操作を行ったユーザに対する報知を行う報知手段を備える
ことを特徴とする請求項１又は２に記載の情報処理装置。
【請求項４】
前記報知手段は、前記制御対象領域において指定された位置に応じて前記報知の強度を異ならせる
ことを特徴とする請求項３記載の情報処理装置。
【請求項５】
前記処理手段は、前記制御対象領域内の位置が指定されてから所定期間内に、当該位置を指定する操作が中止された場合には、前記制御対象領域以外の前記操作可能領域内のいずれかの位置が指定されたものとして、当該位置に応じた処理を行う
ことを特徴とする請求項１〜４のいずれか１項に記載の情報処理装置。
【請求項６】
前記処理手段は、前記制御対象領域内の位置が指定された場合であっても、ユーザが前記操作手段を用いて所定の操作を行ったときには、当該位置が指定されてから当該位置に応じた処理を行うまでの時間を長くすることなく、当該処理を行う
ことを特徴とする請求項１〜５のいずれか１項に記載の情報処理装置。
【発明の詳細な説明】
【技術分野】
【０００１】
本発明は、ユーザの入力に応じて処理を行う情報処理装置に関する。
【背景技術】
【０００２】
タッチスクリーンを有する情報処理装置は、そのスクリーン上でのユーザの操作を検知し、検知した操作に応じた処理を実行する。特許文献１には、タッチスクリーン上でユーザが指をスライドさせることにより再生音量を調整する技術が開示されている。特許文献２には、音量調整スライドバーを用いて音量調整を行う場合に、その最大音量を容易に設定するための技術が開示されている。特許文献３には、タッチスクリーンの操作に応じてユーザに報知を行う技術が開示されている。
【先行技術文献】
【特許文献】
【０００３】
【特許文献１】特開２００８−０４８１０５号公報
【特許文献１】特開２０１０−０３６６２０号公報
【特許文献１】特開２０１１−０４８６０６号公報
【発明の概要】
【発明が解決しようとする課題】
【０００４】
ところで、タッチスクリーン上の位置を指で指定して再生音量を調整するような場合、タッチスクリーンに誤って指が触れてしまい、その結果、ユーザが意図していないほど急激に音量が大きくなることがある。このような急激な変化を及ぼす処理結果により、場合によっては、ユーザの健康に悪影響を及ぼしたり、装置の故障の原因になることが考えられる。
そこで、本発明は、急激な変化を及ぼす処理結果となるような操作を行った場合であっても、その変化を緩和することを目的とする。
【課題を解決するための手段】
【０００５】
上述した課題を解決するため、本発明は、ユーザが操作を行うために用いる操作手段と、前記操作手段を用いたユーザの操作により操作可能領域内の位置が指定されると、当該位置に応じた処理を行う処理手段とを備え、前記処理手段は、前記操作可能領域の一部である制御対象領域内の位置が指定された場合には、当該位置が指定されてから当該位置に応じた処理を行うまでの時間を、前記制御対象領域以外の前記操作可能領域内の位置が指定されてから当該位置に応じた処理を行うまでの時間よりも長くすることを特徴とする情報処理装置を提供する。
【０００６】
上記情報処理装置において、前記処理手段は、前記制御対象領域内の位置が指定されてから当該位置に応じた処理を行うまでの時間と、前記制御対象領域以外の前記操作可能領域内の位置が指定されてから当該位置に応じた処理を行うまでの時間との差を、前記制御対象領域において指定された位置に応じて異ならせるようにしてもよい。
【０００７】
前記制御対象領域内の位置が指定された場合に、当該位置を指定する操作を行ったユーザに対する報知を行う報知手段を備えるようにしてもよい。
【０００８】
前記報知手段は、前記制御対象領域において指定された位置に応じて前記報知の強度を異ならせるようにしてもよい。
【０００９】
前記処理手段は、前記制御対象領域内の位置が指定されてから所定期間内に、当該位置を指定する操作が中止された場合には、前記制御対象領域以外の前記操作可能領域内のいずれかの位置が指定されたものとして、当該位置に応じた処理を行うようにしてもよい。
【００１０】
前記処理手段は、前記制御対象領域内の位置が指定された場合であっても、ユーザが前記操作手段を用いて所定の操作を行ったときには、当該位置が指定されてから当該位置に応じた処理を行うまでの時間を長くすることなく、当該処理を行うようにしてもよい。
【発明の効果】
【００１１】
本発明によれば、急激な変化を及ぼす処理結果となるような操作を行った場合であっても、その変化を緩和することが可能となる。
【図面の簡単な説明】
【００１２】
【図１】本発明の実施形態に係る情報処理装置の外観を示した正面図である。
【図２】情報処理装置のハードウェア構成を示したブロック図である。
【図３】情報処理装置の表示部に表示されるユーザインタフェース画面を例示する図である。
【図４】ユーザインタフェース画面上の操作位置とその位置に応じた制御内容との関係を例示する図である。
【図５】制御テーブルの内容を例示する図である。
【図６】制御部の処理の手順を示すフローチャートである。
【図７】表示部に表示されるユーザインタフェース画面を例示する図である。
【発明を実施するための形態】
【００１３】
以下、本発明の実施形態について説明する。
＜構成＞
図１は、本発明の実施形態に係る情報処理装置１０の外観を示した正面図である。情報処理装置１０は、表示面１３１及びタッチセンサ１４１Ｄからなる矩形のタッチスクリーン１１Ｄを有するコンピュータであり、例えばスマートフォン、携帯電話機、ＰＤＡ（Personal Digital Assistant）、無線ＬＡＮ（Local Area Network）端末、音楽プレーヤ又はゲーム機などである。
【００１４】
ユーザは、タッチスクリーン１１Ｄを指やスタイラスペンで触れることで情報処理装置１０を操作することができるようになっている。情報処理装置１０には楽曲再生プログラムがインストールされており、ユーザはこのプログラムを情報処理装置１０に実行させることで楽曲を再生することができる。
【００１５】
図２は、情報処理装置１０のハードウェア構成を示したブロック図である。ここでは、情報処理装置１０がスマートフォンである場合を例に挙げて説明する。情報処理装置１０は、制御部１１０と、記憶部１２０と、表示部１３０と、操作部１４０と、通信部１５０とを備えている。制御部１１０は、ＣＰＵ（Central Processing Unit）などの演算処理装置と、ＲＯＭ（Read Only Memory）及びＲＡＭ（Random Access Memory）などの記憶装置とを備える。記憶部１２０は、例えばフラッシュメモリやハードディスク等の不揮発性の記憶手段であり、各種のデータを記憶している。記憶部１２０に記憶されているデータには、制御部１１０が実行する楽曲再生プログラムなどに加え、後述する制御テーブル１２１が含まれる。制御部１１０のＣＰＵがＲＡＭをワークエリアとして用いてＲＯＭや記憶部１２０などに記憶されたプログラムを実行することによって、情報処理装置１０の各部の動作が制御される。また、制御部１１０は、システムクロックに基づいて時刻を計測する計時機能なども備えている。
【００１６】
通信部１５０は、アンテナや無線通信回路を備えており、無線通信を行う。これにより、情報処理装置１０は、例えば楽曲データや楽曲再生プログラムなどの各種情報を受信し、記憶部１２０に記憶させることができるようになっている。
【００１７】
表示部１３０は、例えば液晶ディスプレイ等の表示面１３１と、表示面１３１の制御を行う制御回路を有しており、制御部１１０から供給されるデータに応じた画像を表示面１３１に表示させる。この表示面１３１は、矩形の形状であり、ＸＹ直交座標系が設定されている。このＸＹ直交座標系の原点Ｐは、表示面１３１の４隅のうちのいずれか（ここでは図の左上隅）に位置している。この原点Ｐを含む、表示面１３１の２辺のうち、一方の辺（ここでは表示面１３１の短手方向の辺）がＸ軸に対応し、他方の辺（ここでは表示面１３１の長手方向の辺）がＹ軸に対応している。
【００１８】
操作部１４０は、ユーザが操作を行うために用いる操作手段である。操作部１４０は、ユーザの操作を受け付ける操作子１４１Ａ〜１４１Ｃ及びタッチセンサ１４１Ｄと、タッチセンサ１４１Ｄの特定の領域（後述する操作可能領域１３０ｃの一部である制御対象領域１３０ｅ）に対して操作が行われたときに、ユーザに対する報知として振動を発生させるアクチュエータ１４１Ｅとを有している。操作子１４１Ａ〜１４１Ｃは、情報処理装置１０の正面側にＸ軸方向に並べて配置されており、ユーザの操作に応じた信号を制御部１１０へ出力する。アクチュエータ１４１Ｅは、ユーザがタッチスクリーン１１Ｄに誤って触れてしまうことで、例えば再生音量を急激に大きくするような処理が指示された場合には、制御部１１０による制御の下で、そのことをユーザに報知する目的で振動する。制御部１１０及びアクチュエータ１４１Ｅは、操作を行ったユーザに対する報知を行う報知手段である。
【００１９】
タッチセンサ１４１Ｄは、表示部１３０の表示面１３１の全体を覆うようにその表示面１３１に重ねられた状態で配置されており、その大きさ及び形状は前述した表示面１３１の大きさ及び形状とほぼ同じである。このタッチセンサ１４１Ｄは光を透過する材料で構成されており、表示面１３１に表示された画像はタッチセンサ１４１Ｄを透過してユーザに視認されるようになっている。タッチセンサ１４１Ｄは、指やスタイラスペンの先端が接触したか否かを所定のサンプリング周期で検知し、その接触位置（操作点）を示す座標を制御部１１０へ出力する。前述した表示面１３１と同様に、このタッチセンサ１４１Ｄにも、ＸＹ直交座標系が設定されている。つまり、ＸＹ直交座標系の原点Ｐは、タッチセンサ１４１Ｄの４隅のうちのいずれか（ここでは図の左上隅）に位置している。この原点Ｐを含む、タッチセンサ１４１Ｄの２辺のうち、一方の辺（ここではタッチセンサ１４１Ｄの短手方向の辺）がＸ軸に対応し、他方の辺（ここではタッチセンサ１４１Ｄの長手方向の辺）がＹ軸に対応している。
【００２０】
このように、タッチセンサ１４１Ｄ及び表示面１３１には、共通のＸＹ直交座標系が設定されており、タッチセンサ１４１Ｄによって出力される操作点の位置及び表示面１３１によって表示される画像の位置のいずれもが、共通のＸＹ直交座標系で規定されるようになっている。これら表示面１３１及びタッチセンサ１４１Ｄによってタッチスクリーン１１Ｄが構成されている。なお、以下の説明においては、矢印Ｘが指す方向をＸ軸方向といい、矢印Ｙが指す方向をＹ軸方向というものとする。
【００２１】
ここで、図３は、表示部１３０に表示されるユーザインタフェース画面を例示する図である。図３（ａ）に示すユーザインタフェース画面は、楽曲再生プログラムの実行中にユーザが再生音量を調整するための画面である。このユーザインタフェース画面では１次元方向の操作が想定されている。左右に延びる直線状の操作可能領域１３０ｃにおいて、ユーザが、つまみを模した操作子画像１３０ａを指で触ったまま「max」と表記された方向に近づくように移動させると（つまり、操作子画像１３０ａをドラッグすると）、制御部１１０は、再生音量を大きくする処理を行う。逆に、ユーザが、操作子画像１３０ａを「min」と表記された方向に近づくようにドラッグすると、制御部１１０は、再生音量を小さくする処理を行う。つまり、制御部１１０は、操作手段を用いたユーザの操作により操作可能領域内の位置が指定されると、当該位置に応じた処理を行う処理手段である。
【００２２】
なお、ユーザインタフェース画面上の操作は、１次元方向の操作に限らず、図３（ｂ）に示すように、２次元方向の操作であってもよい。図３（ｂ）において、例えば、縦軸（Ｙ軸）には、音場を実現するための１つのパラメータ（例えばイニシャルディレイ）が割り当てられており、横軸（Ｘ軸）には、音場を実現するための他のパラメータ（例えばルームサイズ）が割り当てられているとする。そして、ユーザが、円形の操作可能領域１３０ｃ内の任意の位置に操作子画像１３０ａをドラッグすると、その位置における縦軸の値（イニシャルディレイ）及び横軸の値（ルームサイズ）に応じた音場処理が制御部１１０によって行われる。
【００２３】
このユーザインタフェース画面の操作可能領域１３０ｃは、上記のようなユーザへの報知を含む制御処理の対象となる制御対象領域１３０ｅと、このような制御処理の対象とはならない非制御対象領域１３０ｄという、２つの部分領域に分けられる。制御対象領域１３０ｅの範囲は、楽曲再生プログラムの設計段階で予め決められていてもよいし、ユーザ自身が設定してもよい。制御対象領域１３０ｅの範囲は、一般には、再生音量が極大に近い領域など、ユーザの指示に応じて行う処理の限界を含む領域であるが、必ずしもこれに限らず、ユーザが急激な変化だと感じる領域であればよい。
【００２４】
ここで、図４は、ユーザインタフェース画面上の操作位置と、その位置に応じた制御処理の内容との関係を例示する図である。ここでいう制御処理には、アクチュエータ１４１Ｅの回転量の調整と、制御対象領域１３０ｅ内の位置が指定されてから当該位置に応じた処理を行うまでの時間（これを追従速度という）の調整とが含まれる。
【００２５】
図４に示すように、ユーザによって指定された位置が制御対象領域１３０ｅである場合には、制御部１１０は、追従速度を遅くする。つまり、制御部１１０は、非制御対象領域１３０ｄ内の位置が指定されてから当該位置に応じた処理を行うまでの時間よりも、制御対象領域１３０ｅ内の位置が指定されてから当該位置に応じた処理を行うまでの時間を長くする。前者の追従速度を例えば１．０という数値で表現すると、後者の追従速度は１．０よりも小さくなる。この結果、ユーザが操作してからその操作に応じた処理が行われるまでが遅くなるから、ユーザにとってはその変化が緩和されたと感じる。
【００２６】
さらに、ユーザによって指定された位置が非制御対象領域１３０ｄから離れるほど（つまり、ユーザの指示に応じて行う処理の限界に近いほど）、制御部１１０は追従速度をより遅くする。つまり、制御部１１０は、制御対象領域１３０ｅ内の位置が指定されてから当該位置に応じた処理を行うまでの時間と、非制御対象領域１３０ｄ内の位置が指定されてから当該位置に応じた処理を行うまでの時間との差を、制御対象領域１３０ｅにおいて指定された位置に応じて異ならせる。図４の例の場合、処理の限界に近い位置ほど、追従速度は遅くなる。つまり、ユーザが操作してからその操作に応じた処理が行われるまでがより遅くなる。
【００２７】
また、図４に示すように、ユーザによって指定された位置が制御対象領域１３０ｅである場合には、制御部１１０は、アクチュエータ１４１Ｅを回転させる。さらに、ユーザによって指定された位置が非制御対象領域１３０ｄから離れるほど（つまり、ユーザの指示に応じて行う処理の限界に近いほど）、制御部１１０はアクチュエータ１４１Ｅの単位時間当たりの回転数を多くする。つまり、制御部１１０及びアクチュエータ１４１Ｅは、制御対象領域において指定された位置に応じて報知の強度を異ならせる。図４の例の場合、処理の限界に近い位置ほどアクチュエータ１４１Ｅの回転数が多くなり、ユーザの指に伝わる振動レベルが大きくなる。このとき同時に、上述した追従速度が遅くなっているから、ユーザは自ら意図しないほどの急激な変化が起こる前に、振動の発生によってその急激な変化の発生を事前に知ることができる。
【００２８】
上記のような制御の内容が、図５に例示した制御テーブル１２１に記述されている。制御テーブル１２１は、「処理対象」「制御対象領域」「報知制御の内容」「追従制御の内容」及び「操作中止したときの挙動」というフィールドを有している。「処理対象」のフィールドには、情報処理装置１０による処理の対象が記述されている。「制御対象領域」のフィールドには、上述した追従制御及び報知制御が行われる制御対象領域１３０ｅの範囲が記述されている。「報知制御の内容」のフィールドには、上述した報知を行うときの具体的な制御内容が記述されている。「追従制御の内容」のフィールドには、上述した追従速度を調整するときの具体的な制御内容が記述されている。「操作中止したときの挙動」のフィールドには、ユーザが制御対象領域１３０ｅ内の位置を指定して追従制御及び報知制御が行われて始めてから所定期間内に、ユーザがその位置を指定する操作を中止したときに制御部１１０が行う処理の内容（挙動）が記述されている。
【００２９】
図５の例では、音量調整をするときに、操作可能領域１３０ｃにおいて音量レベル７よりも大きく音量レベル１０（極大値）以下を指定する位置（制御対象領域１３０ｅ内の位置）が指定されると、アクチュエータ１４１Ｅの単位時間当たりの回転数を極大値に近づくにつれて徐々に多くするとともに、追従速度を徐々に遅くするようになっている。そして、制御対象領域１３０ｅ内の位置が指定されてから所定期間内に操作が中止されたときには、音量レベル７まで戻るようになっている。つまり、制御部１１０は、制御対象領域１３０ｅ内の位置が指定されてから所定期間内に、当該位置を指定する操作が中止された場合には、非制御対象領域１３０ｄにおいて制御対象領域１３０ｅに隣接する位置である、音量レベル７に対応する位置が指定されたものとして、当該位置に応じた処理を行う。
【００３０】
＜動作＞
次に、実施形態の動作を説明する。図６は、制御部１１０の処理の手順を示すフローチャートである。図７（ａ）〜（ｄ）はそれぞれ、この手順の進行過程において表示部１３０に表示されるユーザインタフェース画面を例示する図である。図７において、点線ｈは、非制御対象領域１３０ｄと制御対象領域１３０ｅとの境界であり、Ｆはユーザの指を表している。
【００３１】
情報処理装置１０の制御部１１０は、記憶部１２０に記憶されている楽曲再生プログラムを実行することで、音量調整時には以下の動作を行う。タッチスクリーン１１Ｄは、指やスタイラスペンの先端が接触すると、その接触位置を示すＸＹ座標を制御部１１０へ出力する。制御部１１０は、タッチスクリーン１１Ｄから出力されたＸＹ座標を受け取ると、ユーザの操作位置を検出したと判断する（ステップＳ１）。
【００３２】
そのＸＹ座標が、制御対象領域１３０ｅに含まれる場合には（ステップＳ２；ＹＥＳ）、制御部１１０は、ステップＳ１のタイミングで操作位置が非制御対象領域１３０ｄ（図７（ａ））から制御対象領域１３０ｅに進入したのか否かを判断する（ステップＳ３）。制御対象領域１３０ｅに進入したタイミングである場合には（図７（ｂ）、ステップＳ３；ＹＥＳ）、制御部１１０は計時を開始する（ステップＳ４）。なお、ステップＳ２において、ＸＹ座標が制御対象領域１３０ｅに含まれない場合（ステップＳ２；ＮＯ）、つまり非制御対象領域１３０ｄに含まれる場合には、制御部１１０はその操作位置に応じた処理を行うが、これは従来の技術と同じであるから詳細な説明は省略する。
【００３３】
次に、制御部１１０は、制御テーブル１２１を参照して、操作位置に応じた報知制御の内容及び追従制御の内容を特定する（ステップＳ５）。そして、制御部１１０は、特定した報知制御の内容及び追従制御の内容に従った制御を行う（ステップＳ６）。ただし、制御対象領域１３０ｅ内の位置が指定されてから所定期間が経過する前に、ユーザの指が離れるなどして操作が中止された場合には（ステップＳ７；ＹＥＳ）、制御部１１０は、図５の内容に従い、音量レベル７に対応する位置まで操作子画像１３０ａを戻すとともに、音量レベルを７に維持する（図７（ｃ）、ステップＳ８）。一方、所定期間を経過してもユーザが制御対象領域１３０ｅの位置を指定し続けている場合には、操作子画像１３０ａが指の動きに遅れてその指と同じ位置に到達し、且つ、その位置に応じた音量調整が行われる（図７（ｄ））。
【００３４】
上述した実施形態によれば、操作可能領域１３０ｃの一部である制御対象領域１３０ｅ内の位置が指定された場合には、当該位置が指定されてから当該位置に応じた処理を行うまでの時間を、非制御対象領域１３０ｄ内の位置が指定されてから当該位置に応じた処理を行うまでの時間よりも長くする。これにより、急激な変化を及ぼす処理結果となるような操作を行った場合であっても、その変化を緩和することが可能となる。
【００３５】
さらに、制御対象領域１３０ｅ内の位置が指定されてから当該位置に応じた処理を行うまでの時間と、非制御対象領域１３０ｄ内の位置が指定されてから当該位置に応じた処理を行うまでの時間との差を、制御対象領域１３０ｅにおいて指定された位置に応じて異ならせる。例えば、処理結果の変化が急激になるほど上記の時間差を大きくすれば、その変化の緩和効果が大きくなる。
【００３６】
また、上記のような時間差を設けるとともに、制御対象領域１３０ｅ内の位置が指定されるとユーザに対する報知を行うので、ユーザは自ら意図しないほどの急激な変化が起こる前に、報知によってその急激な変化の発生を事前に知ることができる。
【００３７】
さらに、制御対象領域１３０ｅ内の位置が指定されるとユーザに対する報知を行う場合に、制御対象領域１３０ｅ内において指定された位置に応じて報知の強度を異ならせているので、ユーザはどの程度急激な変化になるかを予想することが可能となる。
【００３８】
また、制御対象領域１３０ｅ内の位置が指定されてから所定期間内に、当該位置を指定する操作が中止された場合には、非制御対象領域１３０ｄにおいて制御対象領域１３０ｅに隣接する位置が指定されたものとして、当該位置に応じた処理を行うので、急激な処理結果が発生しても、それを元に戻すことが可能となる。
【００３９】
＜変形例＞
上述した実施形態の内容を以下のように変形してもよい。以下に示す各変形例は、必要に応じて組み合わせて実施されてもよい。
【００４０】
＜変形例１＞
実施形態において、制御部１１０は、制御対象領域１３０ｅ内の位置が指定された場合には、当該位置が指定されてから当該位置に応じた処理を行うまでの時間を、非制御対象領域１３０ｄ内の位置が指定されてから当該位置に応じた処理を行うまでの時間よりも長くしていた。ただし、情報処理装置１０の操作や挙動を熟知しているユーザにとっては、この時間差を煩わしく感じることがある。そこで、制御部１１０は、制御対象領域１３０ｅ内の位置が指定された場合であっても、その指定の際にユーザがタッチスクリーン１１Ｄを強く押すなどの、操作手段を用いた所定の操作を行ったときには、当該位置が指定されてから当該位置に応じた処理を行うまでの時間を長くすることなく、当該処理を行ってもよい。このようにすれば、ユーザが指定した位置に応じた処理が直ちに実行される。
【００４１】
＜変形例２＞
実施形態において、制御部１１０は、制御対象領域１３０ｅ内の位置が指定されてから所定期間内に、当該位置を指定する操作が中止された場合には、非制御対象領域１３０ｄ内で制御対象領域１３０ｅに隣接する位置が指定されたものとして、当該位置に応じた処理を行っていたが、これに限らない。制御部１１０は、制御対象領域１３０ｅ内の位置が指定されてから所定期間内に、当該位置を指定する操作が中止された場合には、非制御対象領域１３０ｄ内のいずれかの位置が指定されたものとして、当該位置に応じた処理を行えばよい。例えば、制御部１１０は、ユーザが操作を行う前に操作子画像１３０ａが表示されていた位置が指定されたものとして当該位置に応じた処理を行ってもよいし、非制御対象領域１３０ｄ内で予め決められたデフォルト位置が指定されたものとして当該位置に応じた処理を行ってもよいし、ユーザが操作を行う前に操作子画像１３０ａが表示されていた位置又は予め決められたデフォルト位置と、非制御対象領域１３０ｄ内で制御対象領域１３０ｅに隣接する位置との間にあるいずれかの位置が指定されたものとして当該位置に応じた処理を行ってもよい。
【００４２】
＜変形例３＞
インタフェース画面は実施形態で例示したものに限らず、ユーザの操作により位置を指定可能な画面であればよい。また、処理対象は音量の調整に限らず、インタフェース画面において指定された位置に応じた処理であればどのような内容でも構わない。また、制御テーブル１２１に記述された内容は一例に過ぎず、これに限定されるものではない。
【００４３】
＜変形例４＞
本発明は、タッチスクリーン等を有するコンピュータに本発明を実現させるためのプログラムや、かかるプログラムを記憶させた光ディスク等の記録媒体としても特定され得る。本発明に係るプログラムは、インターネット等のネットワークを介して、コンピュータにダウンロードさせ、これをインストールして利用可能にするなどの形態でも提供され得る。
【符号の説明】
【００４４】
１０  情報処理装置、１１０  制御部、１２０  記憶部、１３０  表示部、１３０ａ  操作子画像、１３０ｃ  操作可能領域、１３０ｄ  非制御対象領域、１３０ｅ  制御対象領域、１３１  表示面、１４０  操作部、１４１Ａ〜１４１Ｃ  操作子、１４１Ｄ  タッチセンサ、１４１Ｅ  アクチュエータ、１５０  通信部。
【図１】
2015052965.tif 000003
【図２】
2015052965.tif 000004
【図３】
2015052965.tif 000005
【図４】
2015052965.tif 000006
【図５】
2015052965.tif 000007
【図６】
2015052965.tif 000008
【図７】
2015052965.tif 000009